【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】  炭素前駆体材料又は炭素系前駆体材料が製造される陽極、及び陰極を含むアークシステムを操作する段階と、前記陽極でのアーク付着区域を制御する段階とを含むことを特徴とする炭素又は炭素系材料の製造方法。
【請求項２】  炭素被膜又は炭素系被膜を製造する段階を含むことを特徴とする請求項１記載の方法。
【請求項３】  炭素フレーク又は炭素粉末を製造する段階を含むことを特徴とする請求項１記載の方法。
【請求項４】  炭素バルク材料を製造する段階を含むことを特徴とする請求項１記載の方法。
【請求項５】  前記陽極が炭素製であることを特徴とする請求項１ないし４のいずれか１項に記載の方法。
【請求項６】  前記陽極が黒鉛製であることを特徴とする請求項５記載の方法。
【請求項７】  アーク付着区域を制御する段階が、アーク付着区域を最小限に抑える段階を含むことを特徴とする請求項１ないし６のいずれか１項に記載の方法。
【請求項８】  アーク付着区域を制御する段階が、アーク付着区域を調節する段階を含むことを特徴とする請求項１ないし７のいずれか１項に記載の方法。
【請求項９】  アーク付着区域を制御する段階が、アーク付着区域を制御するために前記陽極の材料特性を選択する段階を含むことを特徴とする請求項１ないし８のいずれか１項に記載の方法。
【請求項１０】  アーク付着区域を制御する段階が、前記陽極をシールドで遮蔽する段階を含むことを特徴とする請求項１ないし９のいずれか１項に記載の方法。
【請求項１１】  アーク付着区域を制御する段階が、前記陽極の上又は周りにガスを通す段階を含むことを特徴とする請求項１ないし１０のいずれか１項に記載の方法。
【請求項１２】  アーク付着区域を制御する段階が、磁界を使用する段階を含むことを特徴とする請求項１ないし１１のいずれか１項に記載の方法。
【請求項１３】  アーク付着区域を制御する段階が、前記陽極の冷却を制御する段階を含むことを特徴とする請求項１ないし１２のいずれか１項に記載の方法。
【請求項１４】  アーク付着区域を制御する段階が、アーク電流を制御する段階を含むことを特徴とする請求項１ないし１３のいずれか１項に記載の方法。
【請求項１５】  前記陰極が前記陽極と同じ材料製であることを特徴とする請求項１ないし１４のいずれか１項に記載の方法。
【請求項１６】  アーク付着区域を制御する段階が、アーク付着区域を制御するために前記陰極の材料特性を選択する段階を含むことを特徴とする請求項１ないし１５のいずれか１項に記載の方法。
【請求項１７】  前記アークシステムの中で溶融されることにより炭素系被膜を製造する固形前駆体材料を前記アークシステムに供給する更なる段階を含むことを特徴とする請求項１ないし１６のいずれか１項に記載の方法。
【請求項１８】  前記固形前駆体材料が前記陽極に供給され、溶融して前記陽極上に前駆体材料の層又は液滴を形成し、その後で蒸発することを特徴とする請求項１７記載の方法。
【請求項１９】  アークが適用されるように配置された陽極及び陰極を含み、前記陽極が前記アークの適用の結果として前記陽極から炭素前駆体材料又は炭素系前駆体材料を製造するように配置されているアークシステムと、前記陽極へのアーク付着区域を制御する制御手段とを含むことを特徴とする炭素又は炭素系材料の製造装置。
【請求項２０】  炭素被膜又は炭素系被膜を製造するように配置されることを特徴とする請求項１９記載の装置。
【請求項２１】  炭素フレーク又は炭素粉末を製造するように配置されることを特徴とする請求項１９記載の装置。
【請求項２２】  炭素バルク材料を製造するように配置されることを特徴とする請求項１９記載の装置。
【請求項２３】  前記陽極が炭素製であることを特徴とする請求項１９ないし２２のいずれか１項に記載の装置。
【請求項２４】  前記陽極が黒鉛製であることを特徴とする請求項２３記載の装置。
【請求項２５】  前記制御手段が、前記アーク付着区域を最小限に抑えるように配置されることを特徴とする請求項１９ないし２４のいずれか１項に記載の装置。
【請求項２６】  前記制御手段が、前記アーク付着区域の調節を可能にするように配置されることを特徴とする請求項１９ないし２５のいずれか１項に記載の装置。
【請求項２７】  前記制御手段が、前記陽極の材料の組成物であることを特徴とする請求項１９ないし２６のいずれか１項に記載の装置。
【請求項２８】  前記制御手段が、前記アーク付着区域を遮蔽するシールドを含むことを特徴とする請求項２０ないし２６のいずれか１項に記載の装置。
【請求項２９】  前記制御手段が、前記陽極の上又は周りにガスを通す手段を含むことを特徴とする請求項１９ないし２８のいずれか１項に記載の装置。
【請求項３０】  前記制御手段が、磁界を適用するように配置される手段を含むことを特徴とする請求項１９ないし２９のいずれか１項に記載の装置。
【請求項３１】  前記制御手段が、前記アーク電流を制御するように配置される手段を含むことを特徴とする請求項１９ないし３０のいずれか１項に記載の装置。
【請求項３２】  前記制御手段が、前記陽極の冷却を制御するように配置される手段を含むことを特徴とする請求項１９ないし３１のいずれか１項に記載の装置。
【請求項３３】  前記陰極が前記陽極と同じ材料製であることを特徴とする請求項１９ないし３２のいずれか１項に記載の装置。
【請求項３４】  前記制御手段が前記陰極の材料の組成物であることを特徴とする請求項１９ないし３３のいずれか１項に記載の装置。
【請求項３５】  前記アークシステムの中で溶融することにより炭素系被膜を製造する固形前駆体材料を前記アークシステムに供給する供給手段を更に含むことを特徴とする請求項１９ないし３４のいずれか１項に記載の装置。
【請求項３６】  前記固形前駆体材料が溶融して前記陽極上に溶融液滴又は層を形成するように、前記供給手段が、前記固形前駆体材料を前記陽極に供給するように配置されることを特徴とする請求項３５記載の装置。
【請求項３７】  陽極及び陰極を含むアークシステムを操作して、前記陽極が、炭素前駆体材料又は炭素系前駆体材料を製造する段階を含むことを特徴とする炭素又は炭素系材料の製造方法。
【請求項３８】  炭素被膜又は炭素系被膜を製造する段階を含むことを特徴とする請求項３７記載の方法。
【請求項３９】  前記陽極が炭素製であることを特徴とする請求項３７又は３８記載の方法。
【請求項４０】  前記アークシステムが、水素の非存在下で操作されることを特徴とする請求項３７、３８、又は３９記載の方法。
【請求項４１】  陽極及び陰極を含むアークシステムであって、アークが前記陽極に適用される時、前記陽極が、炭素前駆体材料又は炭素系前駆体材料を製造するように配置されることを特徴とする炭素又は炭素系材料の製造装置。
【請求項４２】  炭素被膜又は炭素系被膜を製造するように配置されることを特徴とする請求項４１記載の装置。
【請求項４３】  前記陽極が炭素製であることを特徴とする請求項４１項又は４２記載の装置。
【請求項４４】  水素の非存在下で操作されるように配置されることを特徴とする請求項４１、４２又は４３記載の装置。
【請求項４５】  炭素前駆体材料又は炭素系前駆体材料が製造される電極を含むアークシステムを操作する段階と、炭素系材料の製造のための種を製造するために固形前駆体材料を前記アークシステムに供給する段階とを含む炭素系材料の製造方法。
【請求項４６】  炭素前駆体材料又は炭素系前駆体材料が製造されることが可能である電極を含むアークシステムと、炭素系材料の製造のための種を製造するために固形前駆体材料を前記アークシステムに供給する手段とを含むことを特徴とする炭素系材料の製造装置。
【手続補正２】
【補正対象書類名】明細書
【補正対象項目名】０００９
【補正方法】変更
【補正の内容】
【０００９】
（発明の開示）
本発明は、炭素前駆体材料又は炭素系前駆体材料が製造される陽極、及び陰極を含むアークシステムを操作する段階と、前記陽極上のアーク付着区域を制御する段階とを含む、炭素及び炭素系材料を製造する方法を提供する。
【手続補正３】
【補正対象書類名】明細書
【補正対象項目名】００２７
【補正方法】変更
【補正の内容】
【００２７】
本発明は、更に、炭素又は炭素系材料を製造する装置を提供することであり、この装置は、アークが適用されるように配置された陽極及び陰極を含み、前記陽極が前記アークの適用の結果として前記陽極から炭素前駆体材料又は炭素系前駆体材料を製造するように配置されているアークシステムと、前記陽極へのアーク付着区域を制御する制御手段とを含む。